(57)【要約】【課題】表示装置の動作モードに対応して、位置情報が他の表示装置に通知される時間を短縮する。【解決手段】スクリーンＳＣに対する操作を検出する撮像部１８１Ａと、撮像部１８１Ａにより検出された操作の表示領域１０Ａでの位置を示す位置情報を算出する座標算出部１８３Ａと、座標算出部１８３Ａが算出した位置情報に基づいて描画オブジェクトを生成し、生成した描画オブジェクトを部分画像と共に表示領域１０Ａに表示させる制御部１５０Ａと、を備え、制御部１５０Ａは、位置情報をＵＳＢＩ／Ｆ部１７０Ａにより他のプロジェクター１００に送信する第１動作モードと、位置情報を、スクリーンＳＣに表示された画像での位置を示す画像位置情報に変換する第２動作モードと、を切り替えて実行するプロジェクター１００Ａ。【選択図】図２
2019028146.tif 000002
【特許請求の範囲】
【請求項１】
接続された他の表示装置と共に表示面に画像を表示する表示装置であって、
前記他の表示装置に接続する接続部と、
前記画像の少なくとも一部を構成する部分画像を前記表示面の第１表示領域に表示する表示部と、
指示体により行われる前記表示面に対する操作を検出する検出部と、
前記検出部が検出した前記操作の前記第１表示領域での位置を示す位置情報を生成する位置情報生成部と、
前記位置情報生成部が生成した前記位置情報に基づいて描画オブジェクトを生成し、生成した前記描画オブジェクトを前記部分画像と共に前記第１表示領域に表示させる制御部と、を備え、
前記制御部は、前記位置情報を前記接続部により前記他の表示装置に送信する第１動作モードと、前記位置情報を、前記表示面に表示された前記画像での位置を示す画像位置情報に変換する第２動作モードと、を切り替えて実行し、
前記第１動作モードにおいて、前記位置情報生成部から前記接続部に前記位置情報が送信される、表示装置。
【請求項２】
前記位置情報生成部と前記接続部とを接続する第１経路と、
前記位置情報生成部と前記制御部の入力側とを接続し、前記制御部の出力側と前記接続部とを接続する第２経路と、
前記位置情報生成部と前記接続部とを接続する経路を前記第１経路又は前記第２経路に切り替える切替回路と、を備え、
前記制御部は、動作モードが前記第１動作モードである場合に、前記切替回路により経路を前記第１経路に切り替える、請求項１記載の表示装置。
【請求項３】
前記制御部は、動作モードが前記第２動作モードである場合に、前記切替回路により経路を前記第２経路に切り替え、前記他の表示装置が前記表示面に前記部分画像を表示する第２表示領域における操作の位置を示す前記位置情報を前記他の表示装置から受信すると、受信した前記位置情報を前記画像位置情報に変換する、請求項２記載の表示装置。
【請求項４】
前記制御部は、前記第１表示領域の範囲を示す情報と、前記第２表示領域の範囲を示す情報と、前記表示面における前記第１表示領域及び前記第２表示領域の位置関係とに基づいて、前記位置情報を前記画像位置情報に変換する、請求項３記載の表示装置。
【請求項５】
前記制御部は、前記第１表示領域及び前記第２表示領域の前記表示面での位置関係に基づいて、動作モードを前記第１動作モード又は前記第２動作モードに切り替える、請求項３又は４記載の表示装置。
【請求項６】
前記接続部は、前記他の表示装置としての第１表示装置に接続する第１接続部と、前記他の表示装置としての第２表示装置に接続する第２接続部と、を備え、
前記第１接続部と前記第２接続部とを接続する第３経路と、
前記第１接続部と前記制御部の入力側とを接続し、前記制御部の出力側と前記第２接続部とを接続する第４経路と、
前記第１接続部と前記第２接続部とを接続する経路を前記第３経路又は前記第４経路に切り替える切替回路と、を備え、
前記制御部は、動作モードが前記第１動作モードである場合に、前記切替回路により経路を前記第３経路に切り替え、前記第１表示装置から受信した情報を前記第３経路により前記第２接続部に送信する、請求項１記載の表示装置。
【請求項７】
前記接続部は、前記表示装置に画像データを供給する画像供給装置に接続し、
前記制御部は、前記第２動作モードにおいて、生成した前記画像位置情報を前記画像供給装置に送信する、請求項１から５のいずれか１項に記載の表示装置。
【請求項８】
前記制御部は、前記検出部が検出した前記操作に基づいて生成した前記位置情報に基づいて前記描画オブジェクトを生成し、生成した前記描画オブジェクトを前記部分画像と共に前記第１表示領域に表示させる描画モードと、前記位置情報を、前記他の表示装置に送信する操作通知モードとを切り替えて実行する、請求項１から７のいずれか１項に記載の表示装置。
【請求項９】
他の表示装置に接続する接続部と、表示面に表示する画像の少なくとも一部を構成する部分画像を前記表示面の第１表示領域に表示する表示部と、指示体により行われる前記表示面に対する操作を検出する検出部と、前記検出部が検出した前記操作の前記第１表示領域での位置を示す位置情報を生成する位置情報生成部と、を備え、接続された前記他の表示装置と共に前記表示面に画像を表示する表示装置の制御方法であって、
前記位置情報生成部により生成された前記位置情報を前記接続部により前記他の表示装置に送信する第１処理と、前記位置情報を、前記表示面に表示された前記画像での位置を示す画像位置情報に変換する第２処理と、を切り替えて実行し、
前記第１処理において、前記位置情報生成部から前記接続部に前記位置情報が送信される、表示装置の制御方法。
【発明の詳細な説明】
【技術分野】
【０００１】
本発明は、表示装置及び表示装置の制御方法に関する。
【背景技術】
【０００２】
従来、表示面に対する操作を検出し、検出した操作に対応した画像を表示面に表示する描画モードと、検出した操作の位置を示す位置情報を外部の装置に送信する通知モードとを備えた表示装置が知られている（例えば、特許文献１参照）。
【先行技術文献】
【特許文献】
【０００３】
【特許文献１】特開２０１３−２４７４８６号公報
【発明の概要】
【発明が解決しようとする課題】
【０００４】
ところで、表示装置の動作モードが通知モードである場合に、検出した操作の位置情報に基づいて表示装置が処理を行っていると、位置情報が外部の装置に通知されるまでに時間がかかるという問題がある。
本発明は、表示装置の動作モードに対応して、位置情報が他の表示装置に通知される時間を短縮することを目的とする。
【課題を解決するための手段】
【０００５】
上記課題を解決するため、本発明は、接続された他の表示装置と共に表示面に画像を表示する表示装置であって、前記他の表示装置に接続する接続部と、前記画像の少なくとも一部を構成する部分画像を前記表示面の第１表示領域に表示する表示部と、指示体により行われる前記表示面に対する操作を検出する検出部と、前記検出部が検出した前記操作の前記第１表示領域での位置を示す位置情報を生成する位置情報生成部と、前記位置情報生成部が生成した前記位置情報に基づいて描画オブジェクトを生成し、生成した前記描画オブジェクトを前記部分画像と共に前記第１表示領域に表示させる制御部と、を備え、前記制御部は、前記位置情報を前記接続部により前記他の表示装置に送信する第１動作モードと、前記位置情報を、前記表示面に表示された前記画像での位置を示す画像位置情報に変換する第２動作モードと、を切り替えて実行し、前記第１動作モードにおいて、前記位置情報生成部から前記接続部に前記位置情報が送信される。
本発明によれば、位置情報を他の表示装置に送信する第１動作モードと、位置情報を、表示面に表示された画像での位置を示す画像位置情報に変換する第２動作モードとが切り替えて実行される。動作モードが第１動作モードである場合に、位置情報生成部から接続部に位置情報が送信される。従って、動作モードを第１動作モードに切り替えることで、位置情報生成部が生成した位置情報が接続部に送信されるので、位置情報が接続部に入力されるまでの時間を短縮することができる。このため、位置情報の伝達に生じる遅延を抑制することができる。
【０００６】
また、本発明は、前記位置情報生成部と前記接続部とを接続する第１経路と、前記位置情報生成部と前記制御部の入力側とを接続し、前記制御部の出力側と前記接続部とを接続する第２経路と、前記位置情報生成部と前記接続部とを接続する経路を前記第１経路又は前記第２経路に切り替える切替回路と、を備え、前記制御部は、動作モードが前記第１動作モードである場合に、前記切替回路により経路を前記第１経路に切り替える。
本発明によれば、動作モードが第１動作モードである場合に、切替回路により第１経路に切り替えられる。従って、制御部を経由することなく、位置情報が位置情報生成部から接続部に送信されるので、位置情報の伝達に生じる遅延を抑制することができる。
【０００７】
また、本発明は、前記制御部は、動作モードが前記第２動作モードである場合に、前記切替回路により経路を前記第２経路に切り替え、前記他の表示装置が前記表示面に前記部分画像を表示する第２表示領域における操作の位置を示す前記位置情報を前記他の表示装置から受信すると、受信した前記位置情報を前記画像位置情報に変換する。
本発明によれば、動作モードが第２動作モードである場合に、他の表示装置から受信した位置情報が画像位置情報に変換される。従って、第２表示領域における操作の位置を、表示面に表示された画像の全体での位置に変換することができ、画像に対して行われた操作の位置を判定することできる。
【０００８】
また、本発明は、前記制御部は、前記第１表示領域の範囲を示す情報と、前記第２表示領域の範囲を示す情報と、前記表示面における前記第１表示領域及び前記第２表示領域の位置関係とに基づいて、前記位置情報を前記画像位置情報に変換する。
本発明によれば、第２表示領域における操作の位置を、表示面に表示された画像の全体での位置に精度よく変換することができる。
【０００９】
また、本発明は、前記制御部は、前記第１表示領域及び前記第２表示領域の前記表示面での位置関係に基づいて、動作モードを前記第１動作モード又は前記第２動作モードに切り替える。
本発明によれば、画像を表示する表示領域の位置関係に基づいて、動作モードが第１動作モード又は第２動作モードに変更される。従って、表示装置の動作モードを切り替える操作を行う手間を省くことができる。
【００１０】
また、本発明は、前記接続部は、前記他の表示装置としての第１表示装置に接続する第１接続部と、前記他の表示装置としての第２表示装置に接続する第２接続部と、を備え、前記第１接続部と前記第２接続部とを接続する第３経路と、前記第１接続部と前記制御部の入力側とを接続し、前記制御部の出力側と前記第２接続部とを接続する第４経路と、前記第１接続部と前記第２接続部とを接続する経路を前記第３経路又は前記第４経路に切り替える切替回路と、を備え、前記制御部は、動作モードが前記第１動作モードである場合に、前記切替回路により経路を前記第３経路に切り替え、前記第１表示装置から受信した情報を前記第３経路により前記第２接続部に送信する。
本発明によれば、第１表示装置から受信した情報が、制御部を経由することなく、第１接続部から第２接続部に送信されるので、情報の伝達に生じる遅延を抑制することができる。
【００１１】
また、本発明は、前記接続部は、前記表示装置に画像データを供給する画像供給装置に接続し、前記制御部は、前記第２動作モードにおいて、生成した前記画像位置情報を前記画像供給装置に送信する。
本発明によれば、動作モードが第２動作モードである場合、生成した画像位置情報が画像供給装置に送信される。従って、画像供給装置において、画像に対して行われた操作の位置を判定することできる。
【００１２】
また、本発明は、前記制御部は、前記制御部は、前記検出部が検出した前記操作に基づいて生成した前記位置情報に基づいて前記描画オブジェクトを生成し、生成した前記描画オブジェクトを前記部分画像と共に前記第１表示領域に表示させる描画モードと、前記位置情報を、前記他の表示装置に送信する操作通知モードとを切り替えて実行する。
本発明によれば、表示装置に、描画モードと、操作通知モードとを切り替えて実行させることができる。
【００１３】
上記課題を解決するため、本発明は、他の表示装置に接続する接続部と、表示面に表示する画像の少なくとも一部を構成する部分画像を前記表示面の第１表示領域に表示する表示部と、指示体により行われる前記表示面に対する操作を検出する検出部と、前記検出部が検出した前記操作の前記第１表示領域での位置を示す位置情報を生成する位置情報生成部と、を備え、接続された前記他の表示装置と共に前記表示面に画像を表示する表示装置の制御方法であって、前記位置情報生成部により生成された前記位置情報を前記接続部により前記他の表示装置に送信する第１処理と、前記位置情報を、前記表示面に表示された前記画像での位置を示す画像位置情報に変換する第２処理と、を切り替えて実行し、前記第１処理において、前記位置情報生成部から前記接続部に前記位置情報が送信される。
本発明によれば、位置情報を他の表示装置に送信する第１処理と、位置情報を、表示面に表示された画像での位置を示す画像位置情報に変換する第２処理とが切り替えて実行される。第１処理において、位置情報生成部から接続部に位置情報が送信される。従って、第１処理を実行することで、位置情報生成部が生成した位置情報が接続部に送信されるので、位置情報が接続部に入力されるまでの時間を短縮することができる。このため、位置情報の伝達に生じる遅延を抑制することができる。
【図面の簡単な説明】
【００１４】
【図１】プロジェクションシステムのシステム構成図。
【図２】プロジェクターの構成を示す構成図。
【図３】プロジェクターの制御部及び記憶部が記憶するデータを示す図。
【図４】描画モードの場合のＵＳＢハブの接続設定を示す図。
【図５】マウスモードの場合のＵＳＢハブの接続設定を示す図。
【図６】プロジェクターの動作を示すフローチャート。
【図７】プロジェクターの動作を示すフローチャート。
【発明を実施するための形態】
【００１５】
図１には、本発明の実施形態としてのプロジェクションシステム１のシステム構成図を示す。
プロジェクションシステム１は、複数のプロジェクター１００と画像供給装置３００とを備える。図１には、複数のプロジェクター１００として、プロジェクター１００Ａ、１００Ｂ及び１００Ｃの３台を示すが、プロジェクター１００の台数は３台に限定されるものではなく、２台であってもよいし、４台以上であってもよい。また、以下の説明において、プロジェクター１００Ａ、１００Ｂ及び１００Ｃを特に区別する必要がない場合には、プロジェクター１００と表記する。
【００１６】
プロジェクター１００は、画像供給装置３００から供給される画像データを処理して表示面に画像を投射する。以下の説明では、表示面がスクリーンＳＣである場合について説明するが、表示面は曲面、不連続面あるいは凹凸を有する面などであってもよい。具体的には、建物の壁面や物体の表面を表示面とすることができる。
【００１７】
プロジェクター１００Ａ、１００Ｂ及び１００Ｃと、画像供給装置３００とは、画像（映像）ケーブルによりデイジーチェーン接続される。画像（映像）ケーブルには、例えば、ＭＨＬ（登録商標）や、ＨＤＭＩ（登録商標）、ＤｉｓｐｌａｙＰｏｒｔ（商標）等を用いることができる。本実施形態では、画像供給装置３００の後段にプロジェクター１００Ａが接続され、プロジェクター１００Ａの後段にプロジェクター１００Ｂが接続され、プロジェクター１００Ｂの後段にプロジェクター１００Ｃが接続される。
以下の説明では、画像（映像）ケーブルがＨＤＭＩケーブルである場合を例にして説明する。画像供給装置３００とプロジェクター１００Ａとの間は、ＨＤＭＩケーブル２１Ａにより接続される。プロジェクター１００Ａとプロジェクター１００Ｂとの間は、ＨＤＭＩケーブル２１Ｂにより接続される。プロジェクター１００Ｂとプロジェクター１００Ｃとの間は、ＨＤＭＩケーブル２１Ｃにより接続される。
【００１８】
また、各装置間は、Ｅｔｈｅｒｎｅｔ（登録商標）、ＩＥＥＥ１３９４、ＵＳＢ等のデータ通信用ケーブルにより接続される。本実施形態では、データ通信用ケーブルがＵＳＢケーブルである場合について説明する。
画像供給装置３００とプロジェクター１００Ａとの間は、ＵＳＢケーブル２３Ａにより接続される。プロジェクター１００Ａとプロジェクター１００Ｂとの間は、ＵＳＢケーブル２３Ｂにより接続される。また、プロジェクター１００Ｂとプロジェクター１００Ｃとの間は、ＵＳＢケーブル２３Ｃにより接続される。
【００１９】
画像供給装置３００は、ＨＤＭＩケーブル２１Ａを介してプロジェクター１００ＡにＨＤＭＩ信号を送信する。プロジェクター１００Ａは、画像供給装置３００からＨＤＭＩ信号を受信すると、受信したＨＤＭＩ信号を、ＨＤＭＩケーブル２１Ｂを介して後段のプロジェクター１００Ｂに送信する。同様に、プロジェクター１００Ｂは、プロジェクター１００ＡからＨＤＭＩ信号を受信すると、受信したＨＤＭＩ信号を、ＨＤＭＩケーブル２１Ｃを介して後段のプロジェクター１００Ｃに送信する。
【００２０】
ＨＤＭＩ信号には画像データが含まれる。画像データは、動画像のデータであってもよいし、静止画像のデータであってもよい。また、ＨＤＭＩ信号には、音声データが含まれていてもよい。音声データは、モノラルの音声データであってもよいし、ステレオの音声データであってもよい。
【００２１】
画像供給装置３００には、例えばノート型ＰＣ（Personal Computer）、デスクトップ型ＰＣやタブレット端末、スマートフォン、ＰＤＡ（Personal Digital Assistant）等を用いることができる。また、画像供給装置３００として、ビデオ再生装置、ＤＶＤ（Digital Versatile Disk）プレーヤー、ブルーレイディスクプレーヤー、ハードディスクレコーダー、テレビチューナー装置、ＣＡＴＶ（Cable television）のセットトップボックス、ビデオゲーム機等を用いてもよい。
【００２２】
また、画像供給装置３００は、ＵＳＢケーブル２３Ａ、又はＨＤＭＩケーブル２１Ａに含まれるＣＥＣ（Consumer  Electronics  Control）線を介してプロジェクター１００Ａに制御信号を送信する。この制御信号には、配置情報が含まれる。配置情報は、例えば、プロジェクター１００の接続台数や、接続形態、先頭に位置するプロジェクター１００の情報、カウンター等の情報が含まれる。
【００２３】
接続台数は、デイジーチェーン接続されたプロジェクター１００の台数を示す情報である。本実施形態のプロジェクションシステム１の場合、接続台数の情報は「３台」である。
接続形態は、例えば、横一列や、縦一列、Ｎ行Ｍ列等の複数のプロジェクター１００の接続状態を示す情報である。先頭に位置するプロジェクター１００の情報は、画像供給装置３００に接続されたプロジェクター１００Ａの識別情報や、プロジェクションシステム１におけるプロジェクター１００Ａの位置を示す情報である。本実施形態の場合、プロジェクター１００Ａの位置は、「左」である。例えば、複数のプロジェクター１００をＮ行Ｍ列に接続した構成の場合、先頭に位置するプロジェクター１００の位置情報は、例えば「１行１列」といった情報となる。
【００２４】
カウンターは、デイジーチェーン接続の接続順位を各プロジェクター１００において判定するための情報である。画像供給装置３００に接続したプロジェクター１００Ａが第１位、すなわち先頭に位置するプロジェクターであり、プロジェクター１００Ａに接続したプロジェクター１００Ｂは、接続順位が第２位となる。また、プロジェクター１００Ｂに接続したプロジェクター１００Ｃは、接続順位が第３位となる。
例えば、画像供給装置３００は、値を「０」に設定したカウンターを含む配置情報をプロジェクター１００Ａに送信する。プロジェクター１００Ａは、受信した配置情報に含まれるカウンターの値が「０」であるため、自身の接続順位が第１位であると判定する。プロジェクター１００Ａは、値を「１」加算したカウンターを含む配置情報を後段のプロジェクター１００Ｂに出力する。プロジェクター１００Ｂは、受信した配置情報に含まれるカウンターの値が「１」であるため、自身の接続順位が第２位であると判定する。プロジェクター１００Ｂは、値を「１」加算したカウンターを含む配置情報を後段のプロジェクター１００Ｃに出力する。プロジェクター１００Ｃは、受信した配置情報に含まれるカウンターの値が「２」であるため、自身の接続順位が第３位であると判定する。
【００２５】
また、プロジェクター１００Ａから画像供給装置３００に送信される制御信号には、例えば、操作の位置を示す座標情報が含まれる。この座標情報は、操作者が、指示体７０を用いてスクリーンＳＣに対して行う操作の位置を示す情報である。指示体７０は、例えば、棒状の軸部を有するペン型のデバイスである。操作及び座標情報の詳細については後述する。
【００２６】
図１にはプロジェクター１００Ａ、１００Ｂ及び１００ＣをスクリーンＳＣの横方向に一列に平置き設置し、各プロジェクター１００がスクリーンＳＣに画像を横並びで投射する場合を示す。プロジェクター１００Ａ〜１００Ｃの設置方法は、平置き設置に限定されるものではなく、プロジェクター１００Ａ〜１００Ｃを天井から吊り下げる天吊り設置や、壁面に掛ける壁掛け設置とすることも可能である。また、プロジェクター１００Ａ〜１００Ｃは、縦一列に並べて設置してもよいし、さらに多くのプロジェクター１００を接続する場合には、プロジェクター１００を縦Ｎ行、横Ｍ列（Ｎ及びＭは任意の自然数）のマトリクス状に配置してもよい。
【００２７】
プロジェクター１００Ａ、１００Ｂ及び１００Ｃは、分割されたスクリーンＳＣの表示領域に画像を投射する。プロジェクター１００Ａは、図１の紙面に向かってスクリーンＳＣの左側の領域である表示領域１０Ａに画像を投射する。プロジェクター１００Ｂは、図１の紙面に向かってスクリーンＳＣの中央の領域である表示領域１０Ｂに画像を投射する。プロジェクター１００Ｃは、図１の紙面に向かってスクリーンＳＣの右側の領域である表示領域１０Ｃに画像を投射する。以下の説明では、表示領域１０Ａ、１０Ｂ及び１０Ｃを総称する場合に、表示領域１０と表記する。また、表示領域１０Ａ、１０Ｂ及び１０Ｃによって構成される表示領域を表示領域１５と表記する。
【００２８】
本実施形態のプロジェクションシステム１は、タイリング投射を行う。タイリング投射では、複数のプロジェクター１００によりスクリーンＳＣに画像を投射させ、各プロジェクター１００が投射する画像をスクリーンＳＣにおいて結合させる。スクリーンＳＣにおいて画像を結合させるとは、投射される画像がスクリーンＳＣ上で並ぶようにプロジェクター１００を配置し、各プロジェクターが投射する画像を同期させることで、一つの大画面の画像をスクリーンＳＣに表示させることをいう。タイリング投射によりスクリーンＳＣに投射される画像を、全体画像という。
タイリング投射では、隣接するプロジェクター１００同士は、投射する画像の縁が重なるように画像を投射する。これは、投射される画像の境界が目立たないようにするためである。例えば、プロジェクター１００Ａが投射する画像と、その右側に位置するプロジェクター１００Ｂが投射する画像とは、互いの縁が重なって重畳領域１１を形成する。同様に、プロジェクター１００Ｂが投射する画像と、その右側に位置するプロジェクター１００Ｃが投射する画像とは、互いの縁が重なって重畳領域１２を形成する。
【００２９】
タイリング投射を行う場合、画像データを複数の画像データに分割し、分割した画像データを各プロジェクター１００Ａ〜１００Ｃに投射させる。画像データを分割する処理は、画像供給装置３００により行ってもよいし、接続順位が第１位のプロジェクター１００Ａにより行ってもよいし、各プロジェクター１００がそれぞれに行ってもよい。
【００３０】
例えば、プロジェクター１００Ａにおいて画像データを分割する場合について説明する。この場合、プロジェクター１００Ａは、プロジェクター１００Ａ、１００Ｂ及び１００Ｃが画像を表示する表示領域１０Ａ、１０Ｂ及び１０Ｃの位置や範囲を示す情報を記憶している。これらの情報は、操作者がリモコン５等を操作してプロジェクター１００Ａに入力してもよいし、画像の投射前にキャリブレーションによりプロジェクター１００が生成してもよい。
【００３１】
キャリブレーションは、例えば、以下の手順で行われる。まず、プロジェクター１００Ａ、１００Ｂ及び１００ＣがスクリーンＳＣに所定の画像（例えば、黒一色の画像、以下、キャリブレーション画像という）を投射する。スクリーンＳＣの表示領域１０Ａ、１０Ｂ及び１０Ｃにキャリブレーション画像が投射されると、中央に位置するプロジェクター１００Ｂの撮像部１８１ＢによりスクリーンＳＣの全体を撮像する。撮像部１８１Ｂは、スクリーンＳＣの全体を撮像可能な撮像範囲（画角）を有している。撮像部１８１Ｂは、キャリブレーションにおいては、可視光により撮像範囲を撮像する。
【００３２】
次に、プロジェクター１００ＡだけがスクリーンＳＣの表示領域１０Ａにキャリブレーション画像を投射して、プロジェクター１００Ｂの撮像部１８１ＢによりスクリーンＳＣを撮像する。以下、同様にして、プロジェクター１００ＢだけスクリーンＳＣの表示領域１０Ｂにキャリブレーション画像を投射して、プロジェクター１００Ｂの撮像部１８１Ｂにより撮像する。また、プロジェクター１００ＣだけがスクリーンＳＣの表示領域１０Ｃにキャリブレーション画像を投射して、プロジェクター１００Ｂの撮像部１８１Ｂにより撮像する。
【００３３】
プロジェクター１００Ｂの制御部１５０Ｂは、撮像部１８１Ｂが生成した撮像画像データを取得する。制御部１５０Ｂは、取得した撮像画像データからキャリブレーション画像が撮像された範囲を検出して、表示領域１５のサイズや、各表示領域１０Ａ〜１０Ｃの範囲や位置を示す情報を生成する。プロジェクター１００Ｂの制御部１５０Ｂは、生成した表示領域１５のサイズや、各表示領域１０Ａ〜１０Ｃの範囲や位置を示す情報をプロジェクター１００Ａに送信する。プロジェクター１００Ａは、プロジェクター１００Ｂから受信した情報を位置・範囲情報２１３Ａとして記憶部１３７Ａに記憶させる（図３参照）。
【００３４】
プロジェクター１００Ａは、画像供給装置３００からＨＤＭＩ信号を受信すると、受信したＨＤＭＩ信号を処理して画像データを取り出す。プロジェクター１００Ａは、取り出した画像データを、位置・範囲情報２１３Ａに基づいて分割し、各プロジェクター１００Ａ〜１００Ｃに表示させる画像データをそれぞれ生成する。分割された画像データを分割画像データという。プロジェクター１００Ａは、表示領域１０Ｂに表示させる分割画像データと、表示領域１０Ｃに表示させる分割画像データとをプロジェクター１００Ｂに送信する。プロジェクター１００Ｂは、プロジェクター１００Ａから受信した分割画像データのうち、表示領域１０Ｃに表示させる分割画像データを取り込み、表示領域１０Ｃに表示させる分割画像データをプロジェクター１００Ｃに送信する。
【００３５】
図２は、プロジェクター１００Ａの構成を示す構成図である。
プロジェクター１００Ａ、１００Ｂ及び１００Ｃは、ほぼ同一の構成を備える。このため、プロジェクター１００Ａの構成を代表して説明し、他のプロジェクター１００Ｂ、１００Ｃについての説明は省略する。また、以下の説明において、各プロジェクター１００の構成を区別するため、プロジェクター１００Ａの構成には「Ａ」の符号を付し、プロジェクター１００Ｂの構成には「Ｂ」の符号を付す。同様に、プロジェクター１００Ｃの構成には「Ｃ」の符号を付して説明する。例えば、プロジェクター１００Ａの制御部を制御部１５０Ａと表記し、プロジェクター１００Ｂの制御部を制御部１５０Ｂと表記し、プロジェクター１００Ｃの制御部を制御部１５０Ｃと表記する。
【００３６】
プロジェクター１００Ａは、ＨＤＭＩＩ／Ｆ部１４１Ａを備える。
ＨＤＭＩＩ／Ｆ部１４１Ａは、受信部、送信部及びインターフェイス回路（いずれも図示略）を備える。受信部は、ＨＤＭＩケーブル２１Ａを介して画像供給装置３００に接続され、画像供給装置３００から送信されるＨＤＭＩ信号を受信する。インターフェイス回路は、受信部が受信したＨＤＭＩ信号を処理して画像データや制御情報を取り出す。インターフェイス回路は、取り出した画像データを制御部１５０Ａや画像処理部１４３Ａに出力する。また、インターフェイス回路は、取り出した制御情報を制御部１５０Ａに出力する。
また、送信部は、ＨＤＭＩケーブル２１Ｂを介してプロジェクター１００Ｂに接続される。インターフェイス回路は、制御部１５０Ａから入力される分割画像データに、エンコード、シリアル変換等の処理を行ってＨＤＭＩ信号を生成し、生成したＨＤＭＩ信号を送信部に出力する。送信部は、インターフェイス回路から入力されるＨＤＭＩ信号をプロジェクター１００Ｂに送信する。
【００３７】
プロジェクター１００Ａは、光学的な画像の形成を行い、スクリーンＳＣに画像を投射する投射部１１０Ａを備える。投射部１１０Ａは、光源部１１１Ａ、光変調装置１１２Ａ及び投射光学系１１３Ａを備える。投射部１１０Ａは、本発明の「表示部」に相当する。
【００３８】
光源部１１１Ａは、光源を備える。光源には、例えば、キセノンランプや、超高圧水銀ランプ、ＬＥＤ（Light Emitting Diode）、レーザー光源等を用いることができる。また、光源部１１１Ａは、光源が発した光を光変調装置１１２Ａに導くリフレクター及び補助リフレクターを備えていてもよい。さらに、光源部１１１Ａは、投射光の光学特性を高めるためのレンズ群、偏光板、又は光源が発した光の光量を光変調装置１１２Ａに至る経路上で低減させる調光素子等（いずれも図示略）を備えていてもよい。
【００３９】
光源部１１１Ａは、光源駆動部１２１Ａにより駆動される。光源駆動部１２１Ａは、バス１９０Ａに接続され、同じくバス１９０Ａに接続された制御部１５０Ａの制御に従って光源部１１１Ａの点灯と消灯とを切り替える。
【００４０】
光変調装置１１２Ａは、例えば、Ｒ（赤）、Ｇ（緑）及びＢ（青）の三原色に対応した３枚の液晶パネル１１５Ａを備える。すなわち、光変調装置１１２Ａは、Ｒ（赤）の色光に対応した液晶パネル１１５Ａと、Ｇ（緑）の色光に対応した液晶パネル１１５Ａと、Ｂ（青）の色光に対応した液晶パネル１１５Ａとを備える。光源部１１１Ａが発する光はＲＧＢの３色の色光に分離され、それぞれ対応する液晶パネル１１５Ａに入射される。３枚の液晶パネル１１５Ａは、透過型の液晶パネルであり、透過する光を変調して画像光を生成する。各液晶パネル１１５Ａを通過して変調された画像光は、クロスダイクロイックプリズム等の合成光学系によって合成され、投射光学系１１３Ａに射出される。
【００４１】
光変調装置１１２Ａは、光変調装置駆動部１２２Ａにより駆動される。光変調装置駆動部１２２Ａは、バス１９０Ａに接続される。
光変調装置駆動部１２２Ａには、Ｒ，Ｇ，Ｂの色ごとの画像データが画像処理部１４３Ａから入力される。光変調装置駆動部１２２Ａは、入力された画像データに基づいて、液晶パネル１１５Ａの各々を駆動する駆動電圧を生成する。光変調装置駆動部１２２Ａは、変換した駆動電圧に基づいて、各液晶パネル１１５Ａの各画素に電圧を印加し、各液晶パネル１１５Ａに画像を描画する。
【００４２】
投射光学系１１３Ａは、光変調装置１１２Ａにより変調された画像光をスクリーンＳＣに投射して、スクリーンＳＣ上に結像させるレンズ群を備える。また、投射光学系１１３Ａは、スクリーンＳＣに投射される画像を拡大又は縮小させるズーム機構や、フォーカスの調整を行うフォーカス調整機構を備えていてもよい。
【００４３】
プロジェクター１００Ａは、操作・表示パネル１３１Ａ、入出力Ｉ／Ｆ部１３３Ａ及びリモコン受光部１３５Ａを備える。操作・表示パネル１３１Ａ及びリモコン受光部１３５Ａは、バス１９０Ａに接続された入出力Ｉ／Ｆ部１３３Ａに接続される。
ユーザーインターフェースとして機能する操作・表示パネル１３１Ａには、各種の操作キーや、ＬＣＤ（Liquid Crystal Display）等を用いた表示パネルが設けられる。入出力Ｉ／Ｆ部１３３Ａは、制御部１５０Ａから入力される信号に基づいて、操作・表示パネル１３１Ａの表示パネルに各種画面を表示させる。
また、操作・表示パネル１３１Ａには、プロジェクター１００Ａの電源をオン、オフするための電源キーや、各種設定を行うためのメニューキー等の各種操作キーが設けられる。入出力Ｉ／Ｆ部１３３Ａは、操作キーが操作されると、操作されたキーに対応した操作信号を制御部１５０Ａに出力する。
【００４４】
また、プロジェクター１００Ａは、ユーザーが使用するリモコン５を有する。リモコン５は各種のボタンを備えており、これらのボタンの操作に対応して赤外線信号を送信する。
リモコン受光部１３５Ａは、リモコン５から送信される赤外線信号を受光する。入出力Ｉ／Ｆ部１３３Ａは、リモコン受光部１３５Ａが受光した赤外線信号をデコードして、リモコン５における操作内容を示す操作信号を生成し、制御部１５０Ａに出力する。
【００４５】
プロジェクター１００Ａは、画像処理系を備える。この画像処理系は、プロジェクター１００Ａの全体を統合的に制御する制御部１５０Ａを中心に構成され、この他に、画像処理部１４３Ａ、フレームメモリー１４５Ａ及び記憶部１３７Ａを備える。制御部１５０Ａ、画像処理部１４３Ａ及び記憶部１３７Ａは、バス１９０Ａによりデータ通信可能に相互に接続される。
【００４６】
画像処理部１４３Ａは、ＨＤＭＩＩ／Ｆ部１４１Ａが受信した画像データをフレームメモリー１４５Ａに展開して処理する。画像処理部１４３Ａが行う処理には、例えば、解像度変換（スケーリング）処理又はリサイズ処理、歪み補正等の形状補正処理、デジタルズーム処理、色調補正処理、輝度補正処理等が含まれる。画像処理部１４３Ａは、制御部１５０Ａにより指定された処理を実行し、必要に応じて、制御部１５０Ａから入力されるパラメーターを使用して処理を行う。また、画像処理部１４３Ａは、上記のうち複数の処理を組み合わせて実行することも勿論可能である。画像処理部１４３Ａは、処理が終了した画像データをフレームメモリー１４５Ａから読み出して光変調装置駆動部１２２Ａに出力する。
【００４７】
記憶部１３７Ａは、例えば、ハードディスク装置等の補助記憶装置である。記憶部１３７Ａは、ＤＲＡＭ（Dynamic RAM）、大容量の情報の記憶が可能なフラッシュメモリー又はＣＤ（Compact Disc）、ＤＶＤ（Digital Versatile Disc）、ＢＤ（Blu-ray（登録商標） Disc）等の光ディスクにより代替してもよい。記憶部１３７Ａが記憶するデータの詳細については、図３を参照しながら説明する。
【００４８】
制御部１５０Ａは、ハードウェアとしてＲＯＭ１５１Ａ、ＲＡＭ１５３Ａ、ＣＰＵ１５５Ａ等のプロセッサー、その他の周辺回路（図示略）等を備え、プロジェクター１００Ａの各部を制御する。制御部１５０Ａは、複数のプロセッサーを有していても良い。
ＲＯＭ１５１Ａは、フラッシュＲＯＭ等の不揮発性の記憶装置であり、制御プログラム及びデータを記憶する。ＲＡＭ１５３Ａは、ＣＰＵ１５５Ａが演算処理を行う際のワークエリアとして使用される。ＣＰＵ１５５Ａは、ＲＯＭ１５１Ａや記憶部１３７Ａから読み出した制御プログラムをＲＡＭ１５３Ａに展開し、展開した制御プログラムを実行してプロジェクター１００Ａの各部を制御する。
【００４９】
本実施形態では、制御部１５０Ａと、光源駆動部１２１Ａ、光変調装置駆動部１２２Ａ、入出力Ｉ／Ｆ部１３３Ａ及び画像処理部１４３Ａとを別々のハードウェアとして構成される場合について説明する。本実施形態以外の構成として、ＣＰＵ１５５Ａが光源駆動部１２１Ａ、光変調装置駆動部１２２Ａ、入出力Ｉ／Ｆ部１３３Ａ、画像処理部１４３Ａの機能を実行するようにしてもよい。また、一つのＣＰＵ（又は半導体チップ）で制御部１５０Ａの機能（又は制御部１５０Ａの機能に加えて、光源駆動部１２１Ａ、光変調装置駆動部１２２Ａ、入出力Ｉ／Ｆ部１３３Ａ、画像処理部１４３Ａ等の機能）を実行するようにしてもよいし、複数のＣＰＵ（又は半導体チップ）でこの機能を実行するようにしてもよい。
【００５０】
また、ＣＰＵ１５５Ａは、ＵＳＢホストコントローラー１５７Ａと、ＵＳＢデバイスコントローラー１５９Ａとをハードウェアとして備える。
ＵＳＢホストコントローラー１５７Ａは、ＵＳＢ規格に対応した通信をＵＳＢデバイスと行うためのコントローラーである。プロジェクター１００Ａは、ＵＳＢホストコントローラー１５７ＡによりＵＳＢホストとして動作する。ＵＳＢデバイスコントローラー１５９Ａは、ＵＳＢ規格に対応した通信をＵＳＢホストと行うためのコントローラーである。プロジェクター１００Ａは、ＵＳＢデバイスコントローラー１５９ＡによりＵＳＢデバイスとして動作する。
【００５１】
また、プロジェクター１００Ａは、ＵＳＢハブ１６０Ａ、ＵＳＢＩ／Ｆ部１７０Ａ及び指示体検出部１８０Ａを備える。ＵＳＢＩ／Ｆ部１７０Ａは、本発明の接続部に相当する。
【００５２】
ＵＳＢハブ１６０Ａは、ＵＳＢＩ／Ｆ部１７０Ａ及び指示体検出部１８０Ａの接続先を制御部１５０Ａの制御に従って切り替える。
ＵＳＢハブ１６０Ａは、複数のアップストリームポート１６２（Ｕ）Ａ及び１６４（Ｕ）Ａと、複数のダウンストリームポート１６６（Ｄ）Ａ、１６７（Ｄ）Ａ及び１６９（Ｄ）Ａと、ロジック回路１６５Ａと、を備える。以下の説明では、アップストリームポートには（Ｕ）の記号を付し、ダウンストリームポートには（Ｄ）の記号を付して説明する。ロジック回路１６５は、本発明の「切替回路」に相当する。
【００５３】
アップストリームポート１６２（Ｕ）Ａ及び１６４（Ｕ）Ａは、ＵＳＢホストに接続されるポートである。アップストリームポート１６２（Ｕ）Ａは、ＵＳＢホストコントローラー１５７Ａに接続される。また、アップストリームポート１６４（Ｕ）Ａは、ＵＳＢＩ／Ｆ部１７０ＡのＵＳＢポート１７３Ａを介して画像供給装置３００に接続される。画像供給装置３００は、プロジェクター１００Ａに対してＵＳＢホストとして動作し、プロジェクター１００Ａは、画像供給装置３００に対してＵＳＢデバイスとして動作する。
【００５４】
ダウンストリームポート１６６（Ｄ）Ａ、１６７（Ｄ）Ａ及び１６９（Ｄ）Ａは、ＵＳＢデバイスに接続されるポートである。
ダウンストリームポート１６６（Ｄ）Ａは、ＵＳＢＩ／Ｆ部１７０ＡのＵＳＢポート１７１Ａを介してプロジェクター１００Ｂに接続される。プロジェクター１００Ａは、プロジェクター１００Ｂに対してＵＳＢホストとして動作し、プロジェクター１００Ｂは、プロジェクター１００Ａに対してＵＳＢデバイスとして動作する。
また、ダウンストリームポート１６７（Ｄ）Ａは、指示体検出部１８０Ａに接続される。また、ダウンストリームポート１６９（Ｄ）Ａは、ＵＳＢデバイスコントローラー１５９Ａに接続される。
【００５５】
ロジック回路１６５Ａは、制御部１５０Ａと制御信号線５０Ａによって接続される。ロジック回路１６５Ａは、制御部１５０Ａの制御に従って、アップストリームポート１６２（Ｕ）Ａ及び１６４（Ｕ）Ａと、ダウンストリームポート１６６（Ｄ）Ａ、１６７（Ｄ）Ａ及び１６９（Ｄ）Ａとの接続を切り替える。また、ロジック回路１６５Ａは、ＵＳＢデバイスの接続や切断の検出処理を行ったり、ＵＳＢホストやＵＳＢデバイスとの接続処理や切断処理を行ったり、バスのエラー（fault）の検出処理を行ったり、バスのエラーからの復帰処理を行う。
【００５６】
指示体検出部１８０Ａは、撮像部１８１Ａ、撮像制御部１８２Ａ及び座標算出部１８３Ａを備え、指示体７０により行われるスクリーンＳＣに対する操作を検出する。撮像部１８１は、本発明の「検出部」に相当する。座標算出部１８３は、本発明の「位置情報生成部」に相当する。
【００５７】
指示体検出部１８０Ａについて説明する前に、まず、指示体７０について説明する。
指示体７０は、乾電池や二次電池等の電源部と、赤外光を発光する発光ダイオードを備える発光部と、指示体７０の先端が物体（例えばスクリーン）に接触するとオン状態となり、先端が物体から離れるとオフ状態となるスイッチ（いずれも図示略）とを備える。操作者の操作によって指示体７０の先端がスクリーンＳＣに接触すると、スイッチがオン状態となって、スイッチがオフ状態のときの発光パターンと異なる発光パターンで、発光ダイオードが発光して赤外光を射出する。
【００５８】
指示体検出部１８０Ａが検出する操作には、指示体７０の先端をスクリーンＳＣの任意の位置に一定時間接触させる操作や、指示体７０の先端をスクリーンＳＣに接触させたまま動かして、スクリーンＳＣ上の異なる位置を連続して指示する操作が含まれる。
指示体７０の先端が接触するスクリーンＳＣの位置を指示体検出部１８０Ａにより検出することで、例えば、プロジェクター１００ＡによりスクリーンＳＣに表示されたツールバーのボタンを選択することができる。また、指示体７０のスクリーンＳＣ上での動きを指示体検出部１８０Ａにより検出することで、指示体７０の動きに対応した文字や記号、図形をスクリーンＳＣに描画する描画機能が実行される。
【００５９】
撮像部１８１Ａは、スクリーンＳＣとその周辺部とを含む範囲を撮像範囲として撮像した撮像画像を生成する。撮像部１８１Ａは、赤外光を撮像する赤外用撮像素子、及びインターフェイス回路を備え、赤外光による撮像を行う。また、撮像部１８１Ａは、可視光による撮像を行う撮像素子、及びインターフェイス回路を備え、可視光による撮像も可能である。撮像素子には、ＣＣＤ、ＣＭＯＳのいずれを用いることも可能であり、また、他の素子を用いることもできる。撮像部１８１Ａの撮像方向および撮像範囲（画角）は、投射光学系１１３Ａと同じ方向、又は略同じ方向を向き、投射光学系１１３ＡがスクリーンＳＣ上に画像を投射する範囲をカバーする。撮像部１８１Ａは撮像画像データを出力する。
【００６０】
撮像制御部１８２Ａは、指示体７０による操作を検出する場合、制御部１５０Ａの制御に従って撮像部１８１Ａに赤外光による撮像を実行させる。撮像制御部１８２Ａは、撮像部１８１Ａの撮像した撮像画像データを取得する。撮像部１８１Ａが赤外光を撮像する撮像画像データには、指示体７０が発する赤外光の像が撮像される。撮像制御部１８２Ａは、撮像画像データに写った赤外光の像を検出して、指示体７０による操作位置の座標を検出する。
【００６１】
座標算出部１８３Ａは、操作位置の座標を、表示領域１０Ａにおける座標に変換し、変換した座標を示す座標情報を出力する。撮像制御部１８２Ａが検出する操作位置の座標は、撮像画像データにおける座標である。座標算出部１８３Ａは、事前に実施されるキャリブレーションの結果に基づいて、撮像画像データにおける操作位置の座標から、スクリーンＳＣの表示領域１０Ａにおける操作位置の座標を算出する。キャリブレーションでは、所定のキャリブレーション画像を投射部１１０ＡからスクリーンＳＣに投射して、表示されたキャリブレーション画像を撮像部１８１Ａで撮像する。撮像部１８１Ａの撮像したキャリブレーション画像に基づいて、撮像画像データにおける座標と、スクリーンＳＣの表示領域１０Ａ上の座標との対応関係（座標変換パラメーター）が導かれる。
【００６２】
図３は、制御部１５０Ａの備える機能ブロックと、記憶部１３７Ａに記憶されたデータとを示す図である。
まず、記憶部１３７Ａの記憶するデータについて説明する。記憶部１３７Ａは、ＣＰＵ１５５Ａが実行する制御プログラム２１１Ａ、各プロジェクター１００の識別情報２１２Ａ、及び位置・範囲情報２１３Ａを記憶する。識別情報２１２Ａは、例えば、分割画像データに付加される。プロジェクター１００Ｂは、プロジェクター１００Ａから分割画像データを受信すると、分割画像データに付加された識別情報に基づき、分割画像データがプロジェクター１００Ｂ宛のデータであるか、プロジェクター１００Ｃ宛てのデータであるかを判定する。また、位置・範囲情報２１３Ａは、後述する全体座標系での座標の算出に使用される。全体座標系についての詳細は後述する。
【００６３】
制御部１５０Ａは、機能ブロックとして、投射制御部２０１Ａ、描画制御部２０２Ａ、通信制御部２０３Ａ、座標変換部２０４Ａ及び接続変更部２０５Ａを備える。機能ブロックとは、ＣＰＵ１５５Ａが制御プログラムに従って演算処理を実行することで実現される機能をブロックとして便宜的に示したものであり、特定のアプリケーションやハードウェアを示すものではない。制御部１５０Ａは、複数のプロセッサーによって、これら機能ブロックで示された機能を実現してもよい。
【００６４】
投射制御部２０１Ａは、プロジェクター１００Ａの各部を制御して、スクリーンＳＣの表示領域１０Ａに画像を表示させる。具体的には、投射制御部２０１Ａは、光変調装置駆動部１２２Ａを制御して液晶パネル１１５Ａに画像データに基づく画像を描画させる。また、投射制御部２０１Ａは、光源駆動部１２１Ａを制御して光源部１１１Ａの光源の点灯及び消灯を制御し、また光源の輝度を調整する。
【００６５】
描画制御部２０２Ａは、プロジェクター１００Ａの動作モードが描画モードである場合に動作する。
プロジェクター１００Ａ、１００Ｂ及び１００Ｃは、動作モードとして描画モードとマウスモードとを備える。マウスモードは、本発明の「操作通知モード」に相当する。描画モードは、指示体７０の操作をプロジェクター１００により検出して、操作を検出したプロジェクター１００において検出した操作に対応した処理を行うモードである。また、マウスモードは、指示体７０の操作をプロジェクター１００により検出して、検出した操作の操作位置を示す座標情報を外部の装置に通知するモードである。通知する外部の装置は、ＵＳＢ接続においてＵＳＢホストとして動作する装置であり、デイジーチェーン接続における上位の装置である。すなわち、プロジェクター１００Ｃは、プロジェクター１００Ｂに座標情報を通知し、プロジェクター１００Ｂは、プロジェクター１００Ａに座標情報を通知し、プロジェクター１００Ａは、画像供給装置３００に座標情報を通知する。また、プロジェクター１００Ｂは、プロジェクター１００Ｃから座標情報を受信すると、受信した座標情報をプロジェクター１００Ａに送信する。
【００６６】
描画制御部２０２Ａは、指示体検出部１８０Ａから入力される座標情報が示す座標をつなぎ合わせて、指示体７０による操作の軌跡を検出する。描画制御部２０２Ａは、検出した操作の軌跡に合わせた描画データを生成する。描画データは、例えば、文字や記号、線、図形、画像等を表すデータであり、本発明の「描画オブジェクト」に相当する。描画制御部２０２Ａは、生成した描画データを画像処理部１４３Ａに出力する。画像処理部１４３Ａは、ＨＤＭＩ信号から取り出された画像データを展開済みのフレームメモリー１４５Ａに描画データを展開して合成画像データを生成する。画像処理部１４３Ａは、生成した合成画像データを光変調装置駆動部１２２Ａに出力する。光変調装置駆動部１２２Ａは、画像処理部１４３Ａから入力される合成画像データに基づき液晶パネル１１５Ａの各々を駆動する駆動電圧を生成する。光変調装置駆動部１２２Ａは、変換した駆動電圧に基づいて、各液晶パネル１１５Ａの各画素に電圧を印加し、各液晶パネル１１５Ａに画像を描画する。これにより、液晶パネル１１５Ａに描画された画像が投射光学系１１３Ａにより表示領域１０Ａに表示される。
【００６７】
また、描画制御部２０２Ａは、座標情報が示す座標が複数回連続して同一の座標又はほぼ同一の座標である場合、座標情報が示す座標を選択する操作が入力されたと判定する。この場合、描画制御部２０２Ａは、座標情報が示す座標がツールバーの表示エリア内の座標であるか否かを判定する。描画制御部２０２Ａは、ツールバーの表示エリア内である場合、座標情報が示す座標に表示したツールバーのボタンを判定し、判定したボタンに設定された機能を実行する。ツールバーには、例えば、表示領域１０Ａに表示した描画データを消去したり、保存したりする機能や、指示体７０により描画する描画オジェクトの線幅や色を変更する機能に対応したボタンが設けられている。
【００６８】
通信制御部２０３Ａは、プロジェクター１００Ａの上位の装置である画像供給装置３００や、下位の装置であるプロジェクター１００Ｂとの通信を制御する。
【００６９】
プロジェクター１００Ａ、１００Ｂ及び１００Ｃは、マウスモードにおける動作として第１動作モードと第２動作モードの２つの動作モードを備える。
第１動作モードは、デイジーチェーン接続におけるプロジェクター１００の接続順が第１位以外の順位、すなわち第２位、第３位である場合に実行される動作モードである。第２動作モードは、デイジーチェーン接続におけるプロジェクター１００の接続順位が第１位である場合に実行される動作モードである。
【００７０】
第２動作モードで動作するプロジェクター１００Ａの座標変換部２０４Ａには、指示体検出部１８０Ａにより検出された座標情報や、プロジェクター１００Ｂや１００Ｃにより検出された座標情報が入力される。座標変換部２０４Ａは、入力された座標情報が示す座標を、表示領域１０Ａ、１０Ｂ及び１０Ｃの全体により構成される表示領域１５での座標に変換する。表示領域１５に設定される座標系を、以下では全体座標系という。座標変換部２０４Ａは、各表示領域１０Ａ、１０Ｂ、１０Ｃの座標を、タイリング投射によりスクリーンＳＣに投射された全体画像での位置を示す座標に変換する。全体座標系での座標が、本発明の画像位置情報に相当する。
【００７１】
全体座標系は、例えば、左端に位置する表示領域１０Ａの左上を原点とする座標系である。全体座標系の縦軸方向の範囲は、表示領域１０Ａの縦軸方向の範囲と同一の範囲に設定される。また、全体座標系の横軸方向の範囲は、表示領域１０Ａ、１０Ｂ及び１０Ｃの範囲に基づいて設定される。すなわち、表示領域１０Ａと表示領域１０Ｂとの境界には重畳領域１１が形成され、表示領域１０Ｂと表示領域１０Ｃとの境界には重畳領域１２が形成される。表示領域１０Ａの横軸方向の範囲は、重畳領域１１を含む範囲であり、表示領域１０Ｂの横軸方向の範囲は、重畳領域１１及び１２を含む範囲であり、表示領域１０Ｃの横軸方向の範囲は、重畳領域１２を含む範囲である。このため、座標変換部２０４Ａは、座標情報として、表示領域１０Ｂ及び１０Ｃの座標情報が入力された場合に、これらの座標を全体座標系での座標に変換する処理を行う。
【００７２】
プロジェクター１００Ａの記憶部１３７には、各表示領域１０Ａ、１０Ｂ及び１０Ｃの位置及び範囲を示す位置・範囲情報２１３Ａが記憶されている。座標変換部２０４Ａは、これらの範囲情報２１３Ａに基づいて、表示領域１０Ａ、１０Ｂ及び１０Ｃでの座標を、全体座標系での座標に変換する。座標変換部２０４Ａは、指示体７０による操作位置を示す座標を算出すると、算出した座標を通信制御部２０３Ａに出力する。通信制御部２０３Ａは、座標変換部２０４Ａから入力された座標を、ＵＳＢケーブル２３Ａを介して画像供給装置３００に送信する。
【００７３】
接続変更部２０５Ａは、プロジェクター１００Ａの動作モードが第２動作モードである場合には動作しない。本実施形態では、動作モードが第１動作モードであるプロジェクター１００Ｂ、１００Ｃの接続変更部２０５Ｂ、２０５Ｃが動作する。
【００７４】
接続変更部２０５Ｂは、配置情報によりプロジェクター１００Ｂの接続順位が第１位ではないと判定され、動作モードが描画モードからマウスモード、又はマウスモードから描画モードに変更されると、ロジック回路１６５Ｂを制御して接続経路を切り換える。
また、接続変更部２０５Ｃは、配置情報によりプロジェクター１００Ｃの接続順位が第１位ではないと判定され、動作モードが描画モードからマウスモード、又はマウスモードから描画モードに変更されると、ロジック回路１６５Ｃを制御して接続経路を切り換える。
【００７５】
図４は、動作モードが描画モードである場合のロジック回路１６５Ａ及び１６５Ｂの接続設定を示す図である。また、図５は、動作モードがマウスモードの場合のロジック回路１６５Ａ及び１６５Ｂの接続設定を示す図である。
図４及び図５には、説明の便宜上、ＣＰＵ１５５Ａが備えるハードウェアと、ＣＰＵ１５５Ａが制御プログラムに従った演算処理を実行することで実現される機能ブロック２００Ａとを共に表示した状態を示している。同様に、ＣＰＵ１５５Ｂが備えるハードウェアと、ＣＰＵ１５５Ｂが制御プログラムに従った演算処理を実行することで実現される機能ブロック２００Ｂとを共に表示した状態を示している。
【００７６】
プロジェクター１００Ａの接続変更部２０５Ａは、プロジェクター１００Ａの動作モードが変更されてもロジック回路１６５Ａの接続設定を変更することはない。
ロジック回路１６５Ａは、ダウンストリームポート１６６（Ｄ）Ａ及びダウンストリームポート１６７（Ｄ）Ａをアップストリームポート１６２（Ｕ）Ａに接続する。アップストリームポート１６２（Ｕ）Ａには、ＵＳＢホストコントローラー１５７Ａが接続され、ダウンストリームポート１６６（Ｄ）Ａには、ＵＳＢＩ／Ｆ部１７０Ａを介してプロジェクター１００Ｂが接続される。また、ダウンストリームポート１６７（Ｄ）Ａには、指示体検出部１８０Ａが接続される。このため、プロジェクター１００Ｂ及び指示体検出部１８０Ａの出力が、ＵＳＢホストコントローラー１５７Ａを介して制御部１５０Ａに入力される。
【００７７】
また、接続変更部２０５Ｂは、プロジェクター１００Ｂの動作モードがマウスモードから描画モードに変更された場合、ロジック回路１６５Ｂを描画モードに対応した接続設定に変更する。具体的には、接続変更部２０５Ｂは、動作モードが描画モードの場合、図４に示すようにダウンストリームポート１６６（Ｄ）Ｂ及びダウンストリームポート１６７（Ｄ）Ｂをアップストリームポート１６２（Ｕ）Ｂに接続する。この接続設定の場合、プロジェクター１００Ｃ及び指示体検出部１８０Ｂの出力が、ＵＳＢホストコントローラー１５７Ｂを介して制御部１５０Ｂに入力される。
指示体検出部１８０Ｂと、ダウンストリームポート１６７（Ｄ）Ｂと、アップストリームポート１６２（Ｕ）Ｂと、ＵＳＢホストコントローラー１５７Ｂとを接続する経路が「第２経路」に相当する。また、ＵＳＢＩ／Ｆ部１７０ＢのＵＳＢポート１７１Ｂと、ダウンストリームポート１６６（Ｄ）Ｂと、アップストリームポート１６２（Ｕ）Ｂと、ＵＳＢホストコントローラー１５７Ｂとを接続する経路が「第４経路」に相当する。
【００７８】
また、接続変更部２０５Ｂは、動作モードが描画モードからマウスモードに変更された場合、ロジック回路１６５Ｂをマウスモードに対応した接続設定に変更する。具体的には、接続変更部２０５Ｂは、動作モードがマウスモードの場合、図５に示すようにダウンストリームポート１６６（Ｄ）Ｂ及びダウンストリームポート１６７（Ｄ）Ｂを、アップストリームポート１６４（Ｕ）Ｂに接続する。
この接続設定の場合、プロジェクター１００Ｃ及び指示体検出部１８０Ｂの出力が、プロジェクター１００Ｂの制御部１５０Ｂを介さずにプロジェクター１００Ａに出力される。すなわち、プロジェクター１００Ｃとプロジェクター１００Ａとが直結され、指示体検出部１８０Ｂと、プロジェクター１００Ａとが直結される。
ＵＳＢＩ／Ｆ部１７０ＢのＵＳＢポート１７１Ｂと、ダウンストリームポート１６６（Ｄ）Ｂと、アップストリームポート１６４（Ｕ）Ｂと、ＵＳＢＩ／Ｆ部１７０ＢのＵＳＢポート１７３Ｂとを接続する経路が「第３経路」に相当する。また、指示体検出部１８０Ｂと、ダウンストリームポート１６７（Ｄ）Ｂと、アップストリームポート１６４（Ｕ）Ｂと、ＵＳＢＩ／Ｆ部１７０ＢのＵＳＢポート１７３Ｂと、を接続する経路が「第１経路」に相当する。
【００７９】
また、図示を省略するが、プロジェクター１００Ｃの接続変更部２０５Ｃもプロジェクター１００Ｃの動作モードに応じて、ロジック回路１６５Ｃの接続設定を変更する。
【００８０】
図６及び図７は、プロジェクター１００の動作を示すフローチャートである。このフローチャートでは、プロジェクター１００Ａ、１００Ｂ及び１００Ｃを区別することなく、プロジェクター１００の動作として説明する。
プロジェクター１００の制御部１５０は、ＨＤＭＩケーブル２１、ＵＳＢケーブル２３を介して他のプロジェクター１００又は画像供給装置３００に接続される。制御部１５０は、デイジーチェーン接続された他のプロジェクター１００又は画像供給装置３００から送信された配置情報を受信すると、受信した配置情報に基づいてデイジーチェーン接続における接続順位を判定する（ステップＳ１）。制御部１５０は、配置情報に含まれるカウンターの値に基づいてデイジーチェーン接続での接続順位を判定する（ステップＳ１）。
【００８１】
制御部１５０は、接続順位が第１位である場合（ステップＳ２／ＹＥＳ）、動作モードを第２動作モードに設定する（ステップＳ３）。次に、制御部１５０は、プロジェクター１００の動作モードが描画モードであるか否かを判定する（ステップＳ４）。制御部１５０は、動作モードが描画モードである場合（ステップＳ４／ＹＥＳ）、座標情報が入力されたか否かを引き続き判定する（ステップＳ５）。制御部１５０は、座標情報の入力がない場合（ステップＳ５／ＮＯ）、ステップＳ４の判定に戻る。
【００８２】
また、制御部１５０は、座標情報が入力された場合（ステップＳ５／ＹＥＳ）、入力された座標情報に基づいて描画データを生成する（ステップＳ６）。制御部１５０は、生成した描画データを画像処理部１４３に出力する。画像処理部１４３は、入力された描画データをフレームメモリー１４５に展開された画像データに重畳して合成画像データを生成する。画像処理部１４３は生成した合成画像データをフレームメモリー１４５から読み出して光変調装置駆動部１２２に出力する。光変調装置駆動部１２２は、入力された合成画像データに基づく画像を液晶パネル１１５に描画する。これにより、画像データに描画データが重畳された画像がスクリーンＳＣに表示される（ステップＳ７）。
【００８３】
また、制御部１５０は、ステップＳ４の判定において描画モードではないと判定すると（ステップＳ４／ＮＯ）、動作モードはマウスモードであると判定し、次に、座標情報が入力されたか否かを判定する（ステップＳ８）。制御部１５０は、座標情報の入力がない場合（ステップＳ８／ＮＯ）、ステップＳ４の判定に戻る。また、制御部１５０は、座標情報が入力された場合（ステップＳ８／ＹＥＳ）、入力された座標情報が示す座標を全体座標系での座標に変換する（ステップＳ９）。このステップＳ９の処理が本発明の第２処理に相当する。制御部１５０は、変換した座標情報を上位のプロジェクター１００又は画像供給装置３００に送信する（ステップＳ１０）。
【００８４】
次に、図７に示すフローチャートを参照して、ステップＳ２の判定が否定判定の場合のプロジェクター１００の動作を説明する。
制御部１５０は、デイジーチェーン接続における接続順位が第１位ではないと判定すると（ステップＳ２／ＮＯ）、動作モードを第１動作モードに設定する（ステップＳ１１）。次に、制御部１５０は、プロジェクター１００の動作モードは描画モードであるか否かを判定する（ステップＳ１２）。制御部１５０は、動作モードが描画モードではないと判定すると（ステップＳ１２／ＮＯ）、ロジック回路１６５をマウスモードに対応した接続設定に変更する（ステップＳ１３）。すなわち、制御部１５０は、図５に示すようにダウンストリームポート１６６（Ｄ）Ｂ及びダウンストリームポート１６７（Ｄ）Ｂを、アップストリームポート１６４（Ｕ）Ｂに接続する。ロジック回路１６５がマウスモードに対応した接続設定に変更されることで、下位の他のプロジェクター１００から受信した位置情報が、プロジェクター１００の制御部１５０を経由することなく、上位の他のプロジェクター１００に送信される。また、指示体検出部１８０により検出された位置情報が、プロジェクター１００の制御部１５０を経由することなく、上位の他のプロジェクター１００に送信される。位置情報を、上位の他のプロジェクター１００に送信する処理が、本発明の第１処理に相当する。
【００８５】
また、制御部１５０は、ステップＳ１２の判定において、動作モードが描画モードであると判定すると（ステップＳ１２／ＹＥＳ）、ロジック回路１６５を描画モードに対応した接続設定に変更する（ステップＳ１４）。すなわち、制御部１５０は、図４に示すようにダウンストリームポート１６６（Ｄ）Ｂ及びダウンストリームポート１６７（Ｄ）Ｂを、アップストリームポート１６２（Ｕ）Ｂに接続する。ロジック回路１６５が描画モードに対応した接続設定に変更されることで、下位の他のプロジェクター１００から受信した位置情報が、制御部１５０に入力される。また、指示体検出部１８０により検出された位置情報が、制御部１５０に入力される。
【００８６】
次に、制御部１５０は、座標情報が入力されたか否かを判定する（ステップＳ１５）。制御部１５０は、座標情報の入力がない場合（ステップＳ１５／ＮＯ）、ステップＳ１２の判定に戻る。また、制御部１５０は、座標情報が入力された場合（ステップＳ１５／ＹＥＳ）、入力された座標情報に基づいて描画データを生成する（ステップＳ１６）。この後、制御部１５０は、生成した描画データを画像処理部１４３に出力して画像処理部１４３に合成画像データを生成させる。画像処理部１４３は、生成した合成画像データをフレームメモリー１４５から読み出して光変調装置駆動部１２２に出力する。光変調装置駆動部１２２は、入力された合成画像データに基づく画像を液晶パネル１１５に描画する。これにより、画像データに描画データが重畳された画像がスクリーンＳＣに表示される（ステップＳ１７）。
【００８７】
以上説明したように本実施形態のプロジェクター１００は、接続された他のプロジェクター１００と共にスクリーンＳＣに画像を表示するプロジェクションシステム１を構成する。
【００８８】
プロジェクター１００は、接続部としてのＵＳＢＩ／Ｆ部１７０と、表示部１１０と、検出部としての撮像部、及び、位置情報生成部としての座標算出部１８３を備える指示体検出部１８０と、制御部１５０（描画制御部２０２、接続変更部２０５）とを備える。
【００８９】
ＵＳＢＩ／Ｆ部１７０は、他のプロジェクター１００に接続する。
表示部１１０は、画像の少なくとも一部を構成する部分画像をスクリーンＳＣの表示領域１０に表示する。指示体検出部１８０は、指示体７０により行われるスクリーンＳＣに対する操作を撮像部１８１により検出する。指示体検出部１８０は、撮像部１８１が検出した操作の表示領域１０での位置を示す座標情報を座標算出部１８３により生成する。制御部１５０（描画制御部２０２）は、指示体検出部１８０が生成した座標情報に基づいて描画オブジェクトを生成し、生成した描画オブジェクトを部分画像と共に表示領域１０に表示させる。
【００９０】
また、制御部１５０（接続変更部２０５）は、第１動作モードと第２動作モードとを切り替えて実行する。第１動作モードでは、指示体検出部１８０により生成された座標情報を、ＵＳＢＩ／Ｆ部１７０により他のプロジェクター１００に送信する。また、第２動作モードでは、座標情報を、スクリーンＳＣに表示された全体画像での位置を示す画像座標情報に変換する。
従って、動作モードを第１動作モードに切り替えることで、指示体検出部１８０が生成した座標情報がＵＳＢＩ／Ｆ部１７０に送信されるので、座標情報がＵＳＢＩ／Ｆ部１７０に入力されるまでの時間を短縮することができる。このため、座標情報の伝達に生じる遅延を抑制することができる。
【００９１】
また、プロジェクター１００は、指示体検出部１８０とＵＳＢＩ／Ｆ部１７０とを接続する第１経路と、指示体検出部１８０と制御部１５０の入力側とを接続し、制御部１５０の出力側とＵＳＢＩ／Ｆ部１７０とを接続する第２経路とを備える。また、プロジェクター１００は、指示体検出部１８０とＵＳＢＩ／Ｆ部１７０とを接続する経路を第１経路又は第２経路に切り替えるロジック回路１６５を備える。制御部１５０は、動作モードが第１動作モードである場合に、ロジック回路１６５により経路を第１経路に切り替える。
従って、制御部１５０を経由することなく、座標情報が指示体検出部１８０からＵＳＢＩ／Ｆ部１７０に送信されるので、座標情報の伝達に生じる遅延を抑制することができる。
【００９２】
また、制御部１５０は、動作モードが第２動作モードである場合に、ロジック回路１６５により経路を第２経路に切り替える。制御部１５０は、他のプロジェクター１００がスクリーンＳＣに部分画像を表示する表示領域１０における操作の位置を示す座標情報を他のプロジェクター１００から受信すると、受信した座標情報を画像座標情報に変換する。
例えば、「他の表示装置」に相当するプロジェクター１００がプロジェクター１００Ｂであり、「表示装置」に相当するプロジェクター１００がプロジェクター１００Ａである場合について説明する。この場合、プロジェクター１００Ａの制御部１５０Ａは、プロジェクター１００ＢがスクリーンＳＣに部分画像を表示する表示領域１０Ｂにおける操作の位置を示す座標情報をプロジェクター１００から受信すると、受信した座標情報を画像座標情報に変換する。
従って、表示領域１０Ｂにおける操作の位置を、スクリーンＳＣに表示された全体画像での位置に変換することができ、全体画像に対して行われた操作の位置を判定することできる。
【００９３】
また、制御部１５０Ａは、表示領域１０Ａの範囲を示す情報と、表示領域１０Ｂの範囲を示す情報と、スクリーンＳＣにおける表示領域１０Ａ及び表示領域１０Ｂの位置関係とに基づいて、座標情報を画像座標情報に変換する。
従って、表示領域１０Ｂにおける操作の位置を、スクリーンＳＣに表示された全体画像の全体での位置に精度よく変換することができる。
【００９４】
また、プロジェクター１００Ａ、１００Ｂ及び１００Ｃの制御部１５０Ａ、１５０Ｂ及び１５０Ｃは、表示領域１０Ａ、表示領域１０Ｂ及び１０ＣのスクリーンＳＣでの位置関係に基づいて、動作モードを第１動作モード又は第２動作モードに切り替える。
従って、プロジェクター１００Ａ、１００Ｂ及び１００Ｃの動作モードを切り替える操作を行う手間を省くことができる。
【００９５】
プロジェクター１００ＢのＵＳＢＩ／Ｆ部１７０Ｂは、第１表示装置としてのプロジェクター１００Ｃに接続するＵＳＢポート１７１Ｂと、第２表示装置としてのプロジェクター１００Ａに接続するＵＳＢポート１７３Ｂとを備える。ＵＳＢポート１７１Ｂは、本発明の「第１接続部」に相当する。また、ＵＳＢポート１７３Ｂは、本発明の「第２接続部」に相当する。
また、プロジェクター１００Ｂは、ＵＳＢポート１７１ＢとＵＳＢポート１７３Ｂとを接続する第３経路と、ＵＳＢポート１７１Ｂと制御部１５０Ｂの入力側とを接続し、制御部１５０Ｂの出力側とＵＳＢポート１７３Ｂとを接続する第４経路とを備える。
制御部１５０Ｂは、動作モードが第１動作モードである場合に、ロジック回路１６５Ｂにより経路を第３経路に切り替えて、プロジェクター１００Ｃから受信した情報を第３経路によりＵＳＢポート１７１ＢからＵＳＢポート１７３Ｂに送信する。
従って、プロジェクター１００Ｃから受信した情報が、制御部１５０Ｂを経由することなく、ＵＳＢポート１７１ＢからＵＳＢポート１７３Ｂに送信されるので、情報の伝達に生じる遅延を抑制することができる。
【００９６】
また、プロジェクター１００ＡのＵＳＢＩ／Ｆ部１７０Ａは、プロジェクター１００Ａに画像データを供給する画像供給装置３００に接続する。制御部１５０Ａは、第２動作モードにおいて、生成した画像座標情報を画像供給装置３００に送信する。
従って、画像供給装置３００において、画像に対して行われた操作の位置を判定することできる。
【００９７】
また、プロジェクター１００Ａ、１００Ｂ及び１００Ｃの制御部１５０Ａ、１５０Ｂ及び１５０Ｃは、動作モードとして描画モードとマウスモードとを備える。
プロジェクター１００Ａ、１００Ｂ及び１００Ｃの動作モードが描画モードである場合、制御部１５０Ａ、１５０Ｂ及び１５０Ｃは、検出された操作の位置を示す座標情報に基づいて描画オブジェクトを生成する。制御部１５０Ａ、１５０Ｂ及び１５０Ｃは、生成した描画オブジェクトに基づく画像を表示領域１０Ａ、１０Ｂ及び１０Ｃにそれぞれ表示させる。また、プロジェクター１００Ａ、１００Ｂ及び１００Ｃの動作モードが描画モードである場合、制御部１５０Ａ、１５０Ｂ及び１５０Ｃは、生成された座標情報を画像供給装置３００、プロジェクター１００Ａ、１００Ｂに送信する。
従って、プロジェクター１００Ａ、１００Ｂ及び１００Ｃに、描画モードと、マウスモードとを切り替えて実行させることができる。
【００９８】
上述した実施形態は、本発明の好適な実施の形態である。但し、上述した実施形態に限定されることなく、本発明の要旨を逸脱しない範囲内において種々の変形実施が可能である。
例えば、本実施形態では、指示体７０としてペン型の指示体を用いる場合を例にして説明するが、指示体７０は、例えば、操作者の手の指や、指示棒（図示略）等を用いることも可能である。
【００９９】
また、上述した実施形態では、上位の装置から受信した配置情報に含まれるカウンターの値に基づいて、デイジーチェーン接続における接続順位を判定し、接続順位に基づいてプロジェクター１００の動作モードを第１動作モード又は第２動作モードに切り替えた。
また、これ以外の動作として、各プロジェクター１００が画像を投射する投射領域１０の位置関係に基づいて動作モードを第１動作モード又は第２動作モードに変更してもよい。例えば、プロジェクター１００Ｂの制御部１５０Ｂは、キャリブレーションによって求めた位置・範囲情報２１３Ａをプロジェクター１００Ａ及び１００Ｃに送信する。各プロジェクター１００Ａ〜１００Ｃは、位置・範囲情報２１３Ａに基づいて動作モードを第１動作モード、又は第２動作モードに変更する。例えば、事前の設定により表示領域１０がスクリーンＳＣの左端であるプロジェクター１００Ａが第１動作モードにより動作し、他のプロジェクター１００Ｂ及び１００Ｃは、第２動作モードにより動作するように設定するとも可能である。
【０１００】
また、上述の実施形態では、光変調装置１１２Ａが液晶パネル１１５Ａを備える構成を例示した。液晶パネル１１５Ａは、透過型の液晶パネルであってもよいし、反射型の液晶パネルであってもよい。また、光変調装置１１２Ａは、液晶パネル１１５Ａに代えて、デジタルミラーデバイス（ＤＭＤ）を用いた構成であってもよい。また、デジタルミラーデバイスとカラーホイールを組み合わせた構成としてもよい。また、光変調装置１１２Ａは、液晶パネル及びＤＭＤ以外に、光源が発した光を変調可能な構成を採用しても良い。
【０１０１】
また、図２に示したプロジェクター１００Ａの各機能部は、機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、また、ハードウェアで実現される機能の一部をソフトウェアで実現してもよい。その他、プロジェクターの他の各部の具体的な細部構成についても、本発明の趣旨を逸脱しない範囲で任意に変更可能である。
【０１０２】
また、図６及び図７に示すフローチャートの処理単位は、プロジェクター１００の処理を理解容易にするために、主な処理内容に応じて分割したものである。図６及び図７のフローチャートに示す処理単位の分割の仕方や名称によって本発明が制限されることはない。また、制御部１５０の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【０１０３】
上述した説明において、プロジェクター１００Ａ、１００Ｂ及び１００Ｃは、本発明の「表示装置」に相当し、また「他の表示装置」に相当する。また、プロジェクター１００Ａが表示装置として動作する場合、表示領域１０Ａは、本発明の「第１表示領域」に相当し、表示領域１０Ｂ及び１０Ｃは、「第２表示領域」に相当する。また、プロジェクター１００Ｂが表示装置として動作する場合、表示領域１０Ｂは、本発明の「第１表示領域」に相当し、表示領域１０Ａ及び１０Ｃは、「第２表示領域」に相当する。また、プロジェクター１００Ｃが表示装置として動作する場合、表示領域１０Ｃは、本発明の「第１表示領域」に相当し、表示領域１０Ａ及び１０Ｂは、「第２表示領域」に相当する。
【符号の説明】
【０１０４】
１…プロジェクションシステム、５…リモコン、１１、１２…重畳領域、２１（２１Ａ〜２１Ｃ）…ＨＤＭＩケーブル、２３（２３Ａ〜２３Ｃ）…ＵＳＢケーブル、７０…指示体、１００（１００Ａ〜１００Ｃ）…プロジェクター、１１０Ａ…投射部、１１１Ａ…光源部、１１２Ａ…光変調装置、１１３Ａ…投射光学系、１１５（１１５Ａ）…液晶パネル、１２１Ａ…光源駆動部、１２２（１２２Ａ）…光変調装置駆動部、１３３Ａ…入出力Ｉ／Ｆ部、１３５Ａ…リモコン受光部、１３７（１３７Ａ）…記憶部、１４１Ａ…ＨＤＭＩＩ／Ｆ部、１４３（１４３Ａ）…画像処理部、１４５（１４５Ａ）…フレームメモリー、１５０（１５０Ａ〜１５０Ｃ）…制御部、１５１Ａ…ＲＯＭ、１５３Ａ…ＲＡＭ、１５５Ａ（１５５Ｂ）…ＣＰＵ、１５７Ａ（１５７Ｂ）…ＵＳＢホストコントローラー、１５９Ａ…ＵＳＢデバイスコントローラー、１６０Ａ…ＵＳＢハブ、１６２（Ｕ）（１６２（Ｕ）Ａ、１６２（Ｕ）Ｂ）…アップストリームポート、１６４（Ｕ）（１６４（Ｕ）Ａ、１６４（Ｕ）Ｂ）…アップストリームポート、１６５（１６５Ａ〜１６５Ｃ）…ロジック回路、１６６（Ｄ）Ａ（１６６（Ｄ）Ｂ）…ダウンストリームポート、１６７（Ｄ）Ａ（１６７（Ｄ）Ｂ）…ダウンストリームポート、１６９（Ｄ）Ａ…ダウンストリームポート、１７０（１７０Ａ、１７０Ｂ）…ＵＳＢＩ／Ｆ部、１７１Ａ（１７１Ｂ）…ＵＳＢポート、１７３Ａ（１７３Ｂ）…ＵＳＢポート、１８０（１８０Ａ、１８０Ｂ）…指示体検出部、１８１（１８０Ａ、１８１Ｂ）…撮像部、１８２Ａ…撮像制御部、１８３（１８３Ａ）…座標算出部、１９０Ａ…バス、２００Ａ（２００Ｂ）…機能ブロック、２０１Ａ…投射制御部、２０２Ａ…描画制御部、２０３Ａ…通信制御部、２０４Ａ…座標変換部、２０５Ａ〜２０５Ｃ…接続変更部、２１１Ａ…制御プログラム、２１２Ａ…識別情報、２１３Ａ…範囲情報、３００…画像供給装置。
【図１】
2019028146.tif 000003
【図２】
2019028146.tif 000004
【図３】
2019028146.tif 000005
【図４】
2019028146.tif 000006
【図５】
2019028146.tif 000007
【図６】
2019028146.tif 000008
【図７】
2019028146.tif 000009